(57)【特許請求の範囲】
【請求項１】
経腸栄養療法に使用される栄養剤用容器の容器本体部に充填された液状物を流出させる前記容器本体部の口部に装着されるキャップであって、
前記口部には、前記容器本体部内を密閉する薄膜が取り付けられており、
前記キャップは、
キャップ本体部と、
前記キャップ本体部に連結され、破断または変形可能なブリッジと、
前記キャップ本体部に前記ブリッジを介して連結され、前記ブリッジが破断または変形されて前記容器本体部側に押し込まれることにより前記薄膜を突き破り可能とする穿刺部と、前記薄膜が突き破られた状態で前記容器本体部に充填された前記液状物を前記栄養剤用容器外へ流出させ得る流路とを含む連通部材と、
前記キャップ本体部に含まれ、コネクタとの接続状態を保持可能とする接続保持構造とを含み、
前記コネクタは、前記コネクタに接続された送液チューブを含む送液回路を構成し、前記口部に装着された前記キャップに接続されることにより、前記容器本体部内と前記送液チューブの内腔とを連通可能とし、
前記キャップ本体部と、前記ブリッジと、前記連通部材は、一体物であり、
前記コネクタの挿入部内に挿入された前記連通部材を前記薄膜側へ押し込むことにより、前記ブリッジが破断または変形される、キャップ。
【請求項２】
前記連通部材は、複数の前記流路を含み、前記薄膜側とは反対側の端面において各流路の一部を構成する孔が形成されている請求項１に記載のキャップ。
【請求項３】
前記連通部材は、複数の前記流路を含み、前記薄膜側とは反対側の端部に板状部を含み、前記板状部に各流路の一部を構成する孔が形成されている請求項１に記載のキャップ。
【請求項４】
前記連通部材は、前記板状部よりも前記薄膜側に配置され、各孔の延長方向における空間を相互に隔てるように配置された隔壁を含む請求項３に記載のキャップ。
【請求項５】
前記連通部材の、前記穿刺部よりも前記薄膜側先端からより離れた箇所の一部が、外方向に出っ張っている請求項１〜４のいずれかの項に記載のキャップ。
【請求項６】
前記ブリッジが、前記流路を跨ぐように、前記連通部材と前記キャップ本体部とを連結している請求項１に記載のキャップ。
【請求項７】
前記キャップ本体部と前記ブリッジとの前記連結部位から前記ブリッジと前記連通部材との前記連結部位までの前記ブリッジを含む部分が折れ曲がり変形することにより、前記連通部材を前記容器本体部側に押し込み可能とする請求項１に記載のキャップ。
【請求項８】
前記キャップ本体部と前記ブリッジとの前記連結部位から前記ブリッジと前記連通部材との前記連結部位までの前記ブリッジを含む部分が、３つの肉薄部を含み、当該３つの肉薄部が折れ曲がり変形することにより、前記連通部材を前記容器本体部側に押し込み可能とする請求項７に記載のキャップ。
【請求項９】
前記連通部材を覆い、前記接続保持構造と係合可能な係合部を備えた保護カバーをさらに備えた請求項１〜８のいずれかの項に記載のキャップ。
【請求項１０】
口部を含む容器本体部と、
容器本体部内に充填された液状物と、
前記口部に取り付けられて前記容器本体部内を密閉する薄膜と、
前記口部に装着された請求項１〜９のいずれかの項に記載のキャップと、を含む栄養剤用容器。
【請求項１１】
請求項１０に記載の栄養剤用容器と、
前記キャップの前記接続保持構造と係合可能な係合部を有するコネクタと、前記コネクタに接続された送液チューブとを含む送液回路とを含む、栄養剤供給セット。
【発明の詳細な説明】
【技術分野】
【０００１】
本発明は、栄養剤用容器の容器本体部に充填された液状物を流出させる口部に装着されるキャップ、および当該キャップが容器本体部に装着された栄養剤用容器、並びに栄養剤供給セットに関する。
【背景技術】
【０００２】
経口によらずに患者に栄養や薬剤を投与する方法として経腸栄養療法や静脈栄養療法が知られている。経腸栄養療法では、患者の鼻腔から胃又は十二指腸にまで通されたチューブ（一般に「経鼻チューブ」と呼ばれる）又は患者の腹に形成された胃ろう（胃ろうを形成する施術を「Percutaneous Endoscopic Gastrostomy」と呼ぶ）に挿入されたチューブ（一般に「ＰＥＧチューブ」と呼ばれる）を介して栄養剤、流動食、又は薬剤などの液状物（一般に「経腸栄養剤」と呼ばれる）が投与される。また、静脈栄養療法では、患者の静脈に挿入された輸液ライン（送液回路）を介してブドウ糖などの栄養成分や薬剤成分を含む液状物（一般に「輸液」と呼ばれる）が投与される。【０００３】
図２２に、従来の経腸栄養療法に用いられる経腸栄養セットの一例の概略構成図を示している。栄養剤用容器１００の容器本体１０１内には、栄養剤が充填されている。容器本体１０１の栄養剤を流出させる口部１０２には薄膜（図示せず）が取り付けられて、容器本体１０１内が密閉されている。体内に栄養剤を投与する際には、プラスチック製接続針１０４を口部に装着されたキャップ１０５に刺して上記薄膜を突き破る。このことにより、接続針１０４に接続されたチューブを通して体内に栄養剤を送ることができる。【０００４】
図２３に、従来の静脈栄養療法に用いられる輸液セットの一例の概略構成図を示している。バッグ１１０のバッグ本体１１１内には、栄養成分や薬剤成分を含む液状物が充填されている。体内に液状物を投与する際には、接続針１１４を接続針用ポート１１３に穿刺する。このことにより、接続針１１４に接続されたチューブを通して体内に液状物を送ることができる（特許文献１参照）。
【先行技術文献】
【特許文献】
【０００５】
【特許文献１】特開２０００―１７６０２３号公報
【発明の概要】
【発明が解決しようとする課題】
【０００６】
上記のとおり、従来の経腸栄養療法においては、静脈栄養療法と同様に、先端が鋭利な接続針を接続対象に突き刺すことによって、栄養剤を体内に送る手法が採用される場合がある。そのため、キャップ１０５に接続針１１４を穿刺することが可能である。この場合、接続針１１４は、キャップ１０５および薄膜を貫通し、口部１０２の内部に至ることになる。しかし、このような誤接続が行われると、胃や腸に供給されるべき栄養剤等が静脈に誤って供給されることになり、医療事故が発生する可能性があった。【０００７】
本発明は、上記誤接続の問題を解決し、且つ、栄養剤等の液状物の供給が簡単な操作で衛生的に行える栄養剤用容器の提供を可能とするキャップ、およびそれを用いた栄養剤用容器、並びに栄養剤供給セットを提供する。
【課題を解決するための手段】
【０００８】
本発明のキャップは、
栄養剤用容器の容器本体部に充填された液状物を流出させる前記容器本体部の口部に装着されるキャップであって、
前記口部には、前記容器本体部内を密閉する薄膜が取り付けられており、
前記キャップは、
キャップ本体部と、
前記キャップ本体部に連結され、破断または変形可能なブリッジと、
前記キャップ本体部に前記ブリッジを介して連結され、前記ブリッジが破断または変形されて前記容器本体部側に押し込まれることにより前記薄膜を突き破り可能とする穿刺部と、前記薄膜が突き破られた状態で前記容器本体部に充填された前記液状物を前記栄養剤用容器外へ流出させ得る流路とを含む連通部材と、
前記キャップ本体部に含まれ、コネクタとの接続状態を保持可能とする接続保持構造とを含むキャップ。【０００９】
本発明の栄養剤用容器は、
口部を含む容器本体部と、
容器本体部内に充填された液状物と、
前記口部に取り付けられて前記容器本体部内を密閉する薄膜と、
前記口部に装着された本発明のキャップと、を含む。【００１０】
本発明の栄養剤供給セットは、
本発明の栄養剤用容器と、
前記キャップの前記接続保持構造と係合可能な係合部を含むコネクタと、前記コネクタに接続された送液チューブと、を含む送液回路とを含む。
【発明の効果】
【００１１】
本発明によれば、静脈栄養療法に用いられる送液回路が栄養剤用容器に誤って接続されるという誤接続の問題を解決し、且つ、栄養剤等の液状物の供給が簡単な操作で衛生的に行える栄養剤用容器の提供を可能とするキャップ、およびそれを用いた栄養剤用容器、並びに栄養剤供給セットを提供できる。
【図面の簡単な説明】
【００１２】
【図１】図１は、実施形態１の栄養剤用容器の一例を示した部分斜視図である。
【図２】図２は、図１に示された栄養剤用容器の分解斜視図である。
【図３Ａ】図３Ａは、図１に示された栄養剤用容器を構成する本発明のキャップの一例を示した拡大斜視図である。
【図３Ｂ】図３Ｂは、図３Ａに示したキャップの部分拡大図である。
【図３Ｃ】図３Ｃは、図３Ａに示したキャップの平面図である。
【図３Ｄ】図３Ｄは、図３Ａに示したキャップの底面図である。
【図３Ｅ】図３Ｅは、図３Ａに示したキャップの側面図である。
【図３Ｆ】図３Ｆは、図３Ａに示したキャップの他の側面図である。
【図３Ｇ】図３Ｇは、図３Ａに示したキャップの断面図である。
【図３Ｈ】図３Ｈは、図３Ａに示したキャップの他の断面図である。
【図４Ａ】図４Ａは、図３Ａに示したキャップのブリッジおよび連通部材を説明する拡大斜視図である。
【図４Ｂ】図４Ｂは、図４ＡのＡ−Ａ'断面図である。
【図４Ｃ】図４Ｃは、ブリッジおよび連通部材の他の一例を説明する斜視図である。
【図４Ｄ】図４Ｄは、ブリッジおよび連通部材の他の一例を説明する斜視図である。
【図４Ｅ】図４Ｅは、ブリッジおよび連通部材の他の一例を説明する斜視図である。
【図４Ｆ】図４Ｆは、ブリッジおよび連通部材の他の一例を説明する斜視図である。
【図４Ｇ】図４Ｇは、ブリッジおよび連通部材の他の一例を説明する斜視図である。
【図５】図５は、図１に示された栄養剤用容器に対して、送液回路が接続される直前の様子を示した部分断面図である。
【図６】図６は、図１に示された栄養剤用容器に対して、送液回路が接続される途中の状態を示した部分断面図である。
【図７Ａ】図７Ａは、図１に示された栄養剤用容器に対して、送液回路が接続される途中の状態であって、且つ、図３Ａに示したキャップの連通部材によって容器本体部の薄膜が破られた状態を示した部分断面図である。
【図７Ｂ】図７Ｂは、図７Ａに示した栄養剤用容器および送液回路の部分拡大図である。
【図８Ａ】図８Ａは、図３Ａに示されたキャップに接続されるコネクタの一例の斜視図である。
【図８Ｂ】図８Ｂは、図８Ａに示したコネクタの平面図である。
【図８Ｃ】図８Ｃは、図８Ａに示したコネクタの底面図である。
【図８Ｄ】図８Ｄは、図８Ａに示したコネクタの側面図である。
【図８Ｅ】図８Ｅは、図８Ａに示したコネクタの他の側面図である。
【図９】図９は、実施形態２の栄養剤用容器の一例を示した部分斜視図である。
【図１０】図１０は、図９に示された栄養剤用容器の分解斜視図である。
【図１１Ａ】図１１Ａは、図９に示された栄養剤用容器を構成する保護カバーの斜視図である。
【図１１Ｂ】図１１Ｂは、図１１Ａに示された保護カバーの他の斜視図である。
【図１１Ｃ】図１１Ｃは、図１１Ａに示された保護カバーの平面図である。
【図１１Ｄ】図１１Ｄは、図１１Ａに示された保護カバーの底面図である。
【図１２】図１２は、実施形態３の栄養剤用容器の一例を示した部分斜視図である。
【図１３】図１３は、図１２に示された栄養剤用容器の分解斜視図である。
【図１４Ａ】図１４Ａは、図１２に示された栄養剤用容器を構成する本発明のキャップの一例を示した拡大斜視図である。
【図１４Ｂ】図１４Ｂは、図１４Ａに示したキャップの部分拡大図である。
【図１４Ｃ】図１４Ｃは、図１４Ａに示したキャップの平面図である。
【図１４Ｄ】図１４Ｄは、図１４Ａに示したキャップの底面図である。
【図１４Ｅ】図１４Ｅは、図１４Ａに示したキャップの側面図である。
【図１４Ｆ】図１４Ｆは、図１４Ａに示したキャップの他の側面図である。
【図１５】図１５は、図１４Ａに示したキャップのブリッジおよび連通部材を説明する斜視図である。
【図１６】図１６は、図１２に示された栄養剤用容器に対して、送液回路が接続される直前の様子を示した部分断面図である。
【図１７Ａ】図１７Ａは、図１４Ａに示したキャップの連通部材によって容器本体部の薄膜が破られた状態を示した部分断面図である。
【図１７Ｂ】図１７Ｂは、図１７Ａの部分拡大図である。
【図１８】図１８は、実施形態４の栄養剤用容器の一例を示した部分斜視図である。
【図１９】図１９は、図１８に示された栄養剤用容器の分解斜視図である。
【図２０Ａ】図２０Ａは、図１８に示された栄養剤用容器を構成する本発明のキャップの一例を示した拡大斜視図である。
【図２０Ｂ】図２０Ｂは、図２０Ａに示したキャップの部分拡大図である。
【図２０Ｃ】図２０Ｃは、図２０Ａに示したキャップの平面図である。
【図２０Ｄ】図２０Ｄは、図２０Ａに示したキャップの底面図である。
【図２０Ｅ】図２０Ｅは、図２０Ａに示したキャップのＢ−Ｂ'部分拡大断面図である。
【図２０Ｆ】図２０Ｆは、図２０Ａに示したキャップのＣ−Ｃ'部分拡大断面図である。
【図２１Ａ】図２１Ａは、図１８に示された栄養剤用容器に対して、送液回路が接続される直前の様子を示した部分拡大断面図である。
【図２１Ｂ】図２１Ｂは、図１８に示された栄養剤用容器の連通部材が薄膜側に押し込まれる途中の様子を示した部分拡大断面図である。
【図２１Ｃ】図２１Ｃは、図１８に示された栄養剤用容器の連通部材が薄膜側に押し込まれる途中の様子を示した部分拡大断面図である。
【図２１Ｄ】図２１Ｄは、図１８に示された栄養剤用容器の連通部材が薄膜側に押し込まれる途中の様子を示した部分拡大断面図である。
【図２２】図２２は、従来の経腸栄養療法に用いられる経腸栄養セットの一例の概略構成図である。
【図２３】図２３は、従来の静脈栄養療法に用いられる輸液セットの一例の概略構成図である。
【発明を実施するための形態】
【００１３】
本発明のキャップの好ましい一例では、連通部材は、複数の流路を含み、連通部材の薄膜側とは反対側の端面において、複数の孔が形成されている。例えば、連通部材は薄膜側とは反対側の端部において板状部を含み、その板状部に各流路の一部を構成する孔が形成されていると好ましい。上記端面において複数の孔が形成されているということは、１つの貫通孔が複数の小孔に区画されているとも言え、貫通孔内に先端が鋭利な接続針を挿入し難い構造となっている。このように、連通部材が、先端が鋭利な接続針が連通部材内に挿入され難い構造であれば、専ら、先端が鋭利な接続針を接続対象に突き刺すことによって液状物を体内に送る静脈栄養療法用の送液回路が、誤って、経腸栄養療法に使用される栄養剤用容器に接続されるという誤接続の問題がより確実に解決される。
【００１４】
本発明のキャップの好ましい一例では、連通部材は、板状部よりも薄膜側に配置され、各孔の延長方向における空間を相互に隔てるように配置された隔壁を含んでいる。この場合、例えば、連通部材の外形が略円柱状である場合よりも、連通部材が軽量となり、連通部材を成形し易いので好ましい。
【００１５】
本発明のキャップの好ましい一例では、連通部材の、薄膜側先端から穿刺部よりもより離れた箇所の一部において、外方向に出っ張っている。この場合、穿刺部により薄膜を破った後、上記外方向に出っ張った部分が、薄膜の破られていない部分に接して、連通部材が容器本体部内に落下することが効果的に防止され、好ましい。
【００１６】
本発明のキャップの好ましい一例では、ブリッジが、容器本体部に充填された液状物を栄養剤用容器外へ流出させ得る流路を跨ぐように、連通部材とキャップ本体部とを連結している。この場合、連通部材内の内腔（流路）を横切るようにブリッジが配置されているので、先端が鋭利な接続針が連通部材内に挿入され難く、上記誤接続をより確実に防止できる。
【００１７】
本発明のキャップの好ましい一例では、キャップ本体部とブリッジとの連結部位からブリッジと連通部材との連結部位までのブリッジを含む部分が折れ曲がり変形することにより、連通部材を容器本体部側に押し込み可能とする。この場合、キャップ本体部と連通部材とが繋がったまま薄膜を破ることができるので、連通部材が、容器本体部内に落下して液状物に浮遊することが確実に防止でき、好ましい。
【００１８】
例えば、キャップ本体部とブリッジとの連結部位からブリッジと連通部材との連結部位までのブリッジを含む部分が、３つの肉薄部を含み、３つの肉薄部を各々折れ曲がり変形させれば、連通部材を容器本体部側に容易に押し込むことができる。肉薄部の数が３つであれば、連通部材を容器本体部側に押し込んだ際に、肉薄部の数が少ないことによりブリッジが破断したり、肉薄部の数が多すぎることにより折れ曲がり方が複雑になることが抑制され、好ましい。
【００１９】
本発明のキャップの好ましい一例では、連通部材を覆い、キャップの接続保持構造と係合可能な係合部を備えた保護カバーを備える。この場合、希望しない時に連通部材に外力が加わることが防止される。故に、希望しない時に、連通部材に外力が加わり、連通部材が容器本体部側に押し込まれ容器本体部側に押し込まれた連通部材により薄膜が突き破られることを防止できる。
【００２０】
（実施形態１）
実施形態１では、図１〜図８Ｅを用いて、本発明のキャップの一例、および当該キャップを用いた本発明の栄養剤用容器の一例について説明する。
【００２１】
図１は、本実施形態の栄養剤用容器の一例を示した部分斜視図であり、図２は、図１に示した栄養剤用容器の分解斜視図である。図３Ａは、図１に示された栄養剤用容器を構成する本実施形態のキャップの一例を示した拡大斜視図であり、図３Ｂは、図３Ａに示されたキャップの部分拡大図であり、図３Ｃは、図３Ａに示されたキャップの平面図、図３Ｄは、図３Ａに示されたキャップの底面図、図３Ｅは、図３Ａに示されたキャップの側面図、図３Ｆは、図３Ａに示されたキャップの他の側面図、図３Ｇは、図３Ａに示されたキャップの断面図、図３Ｈは、図３Ａに示されたキャップの他の断面図である。尚、図３Ａは、説明の都合上、図３Ｃ〜図３Ｈよりも図を大きく記載している。
【００２２】
図１および図２に示されるように、栄養剤用容器１０は、経腸栄養療法に使用される医療用の栄養剤用容器であって、容器本体部であるボトル本体１１と、ボトル本体１１内に充填された栄養剤を含む液状物（図示せず）と、ボトル本体１１の口部１２（図２参照）に装着されたキャップ１３を含む。ボトル本体１１の底部には、ボトル本体１１をスタンド等に吊り下げるための吊り下げ部（図示せず）が設けられている。
【００２３】
ボトル本体１１は、例えば、硬質材で形成されている。そのため、特に外力を加えないかぎり外形形状は維持されている。ボトル本体１１は、例えば、樹脂材料を用いてブロー成形することにより得られる。樹脂材料としては、例えば、ポリエチレンテレフタレート（ＰＥＴ）、ポリプロピレン（ＰＰ）、ポリ塩化ビニル（ＰＶＣ）、ナイロン等が挙げられる。
【００２４】
図２に示されるように、口部１２は、その外周面に、キャップ１３のメネジ２３（図３Ｈ等参照）と螺合させるためのオネジ１２ａが形成されている。口部１２には、口部１２の開口を塞ぐように薄膜１６が取り付けられ、ボトル本体１１内が薄膜１６によって密閉されている。そのため、薄膜１６が取り付けられたボトル本体１１を、口部１２が下になるように向けても、ボトル本体１１内の液状物は、ボトル本体１１内から漏れ出ない。
【００２５】
薄膜１６の材料としては、例えば、アルミ箔、紙とアルミ箔とからなる積層膜、ボトル本体１１に含まれる樹脂と同じ樹脂を含む樹脂膜等が挙げられる。上記樹脂膜は、単層膜、複数層からなる積層膜のいずれであってもよい。中でも、熱溶着による薄膜１６のボトル本体１１に対する高い接着性を確保する観点から、ボトル本体１１に接する面にボトル本体１１に含まれる樹脂と同じ樹脂を含む樹脂膜が好ましい。
【００２６】
薄膜１６は、口部１２の開口端面１２ｂに接着され、かつ、その周縁部１６ａが口部１２の開口端面１２ｂの近傍の外周面に接着されている。しかし、薄膜１６は、口部１２の開口端面１２ｂのみに接着されていてもよい。薄膜１６の口部１２への接着方法は、薄膜１６の材料および口部１２の材料等に応じて適宜選択される。
【００２７】
図２に示されるように、キャップ１３は、キャップ本体部２２と、キャップ本体部２２にブリッジ１９ａ（図３Ｂ等参照）を介して連結された連通部材１９とを含む。キャップ本体部２２と、ブリッジ１９ａと、連通部材１９とは、射出成形法等により一体成形できる。ブリッジ１９ａは、連通部材１９に対して押圧により薄膜１６側に押し込む力を加えると、いずれかの箇所がちぎれるものであり、その厚さ、幅等については、その材料に応じて適宜決定される。
【００２８】
図３Ａ〜図３Ｇに示されるように、キャップ本体部２２は、基部２０と接続部２１とを含む。基部２０は、キャップ１３が口部１２に装着された時に、口部１２の開口に面する天面部１７と口部１２の外周面を囲う側壁部１８とを含む。側壁部１８の内周面には、口部１２の外周面に形成されたオネジ１２ａ（図２参照）に螺合するメネジ２３（図３Ｈ等参照）が形成されている。
【００２９】
図３Ａに示されるように、接続部２１は、天面部１７の外側主面から突出した管状部２１ａと、管状部２１ａの周囲に形成された台座部２１ｂと、台座２１ｂの外周面から外方向に突出しており管状部２１ａの周囲に設けられた１対の爪部２１ｃとを含む。管状部２１ａの先端側の外周面は、管状部２１ａの先端から基部側に向かうにつれて径を大きくしたテーパー面２１１を含んでいる。１対の爪部２１ｃは、後述する送液回路２７（図５等参照）のコネクタ２５との接続状態を保持可能とする接続保持構造として機能する。図３Ｂに示されるように、キャップ本体部の管状部２１ａには、ブリッジ１９ａを介して連通部材１９が連結されており、その内腔内に連通部材１９の一部が挿入されている。故に、連通部材１９の他の一部は管状部２１ａの上方に突出している。すなわち、キャップ１３は、天面部１７と側壁部１８と管状部２１ａとを含むキャップ本体部と、管状部２１ａ内にその一部が内挿された連通部材１９とを含む。
【００３０】
図３Ｅおよび図３Ｆに示されるように、１対の爪部２１ｃは、その天面部１７と向かい合う面に、後述する送液回路２７（図５等参照）のコネクタ２５のロック凹部３２１ｇ（図８Ａ参照）に嵌合し得るロック突起２１１ｃを含んでいる。
【００３１】
図４Ａは、キャップを構成するブリッジ１９ａおよび連通部材１９を説明する斜視図であり、図４Ｂは、図４Ａに示した連通部材１９のＡ−Ａ'断面図である。連通部材１９は、薄膜側（キャップの基部２０の開口部側）とは反対側の端部において、平面形状が円形の板状部１９ｅを含み、板状部１９ｅには複数の貫通孔１９ｄが形成されている。
【００３２】
また、連通部材１９は、板状部１９ｅよりも薄膜側において、薄膜側の空間を複数に区画する複数の隔壁１９ｃを有している。隔壁１９ｃは、各孔１９ｄの延長方向における空間を相互に隔てるように配置されている。故に、送液回路２７（図５等参照）のコネクタ２５をキャップ１３に接続するために、コネクタ２５で連通部材１９をボトル本体１１側に押し込んで、穿刺部１９ｂにより薄膜１６を突き破った際には、複数の隔壁１９ｃを有することにより形成され、キャップ本体部２２（基部２０）の内部空間に対して開いた複数の空間１９ｇおよび複数の貫通孔１９ｄが、ボトル本体１１に充填された液状物を栄養剤用容器外へ（矢印Ｘの方向へ）流出させ得る複数の流路として機能する。図４Ａおよび図４Ｂに示した連通部材１９は、４つの隔壁を有し、故に４つの流路を有する。４つの隔壁は周方向に沿って等角度で配置されおり、かつ、相互に一体化されているので、図４Ｂに示されるように、複数の隔壁１９ｃからなる区画体の断面形状は略十字である。
【００３３】
連通部材１９は、その軸方向両端のうちの薄膜１６側に穿刺部１９ｂを有する。穿刺部１９ｂはその先端が、薄膜１６を突き破り可能な程度に尖っている。図４Ａに示した例では、複数の隔壁１９ｃが、各々、連通部材１９の薄膜側の先端に向かって傾斜した傾斜面１９ｍを有しており、各傾斜面１９ｍが連通部材１９の薄膜側の先端１９ｆに集束して、薄膜１６を突き破り可能とする穿刺部１９ｂを形成している。
【００３４】
図４Ａに示されるように、連通部材１９は、穿刺部１９ｂよりも薄膜側先端１９ｆから離れたいずれかの箇所において、穿刺部１９ｂよりも外方向（径方向）に出っ張った部分１９ｈ、換言すると、穿刺部１９ｂよりも連通部材１９の長手方向に直交する方向に出っ張った部分１９ｈを有していると好ましい。例えば、各隔壁１９ｃは、隔壁１９ｃのうちの穿刺部１９ｂを構成する部分よりも薄膜側先端１９ｆから離れたいずれかの箇所において、穿刺部１９ｂよりも外方向に出っ張った幅広部分１９ｈを有していると好ましい。穿刺部１９ｂにより薄膜１６を破った後、当該部分１９ｈが、薄膜１６の破られていない部分に接して、連通部材１９がボトル本体１１内に落下することが防止される。図４Ａに示した例では、部分１９ｈの薄膜と向かい合う面１９ｊが、薄膜１６の破られていない部分に接して連通部材１９がボトル本体１１内に落下することが防止される。
【００３５】
ブリッジ１９ａは、隔壁１９ｃから外方（例えば、連通部材１９の長手方向に直交する方向）に突出するように設けられている。ブリッジ１９ａの数、形状等については、キャップ本体部２２により連通部材１９が安定的に支持され、かつ、連通部材１９を薄膜１６側へ押し込む際にはブリッジ１９ａを容易に破断可能である限り、特に制限はないが、例えば、ブリッジ１９ａは、連通部材１９の中心軸を中心に放射状に配置され、管状部２１ａの内周面と向かい合う面が周方向に沿って配置された、複数の隔壁１９ｃのうちの１つおきの隔壁１９ｃから外方向（径方向）に延びるように設けられてもよい。例えば、図４Ａおよび図４Ｂに示された連通部材１９では、隔壁１９ｃの数が４つであるので、相互に１８０度離れた２つの隔壁１９ｃのみにブリッジ１９ａを設ける。
【００３６】
図３Ａ、図３Ｃおよび図３Ｄに示されるように、キャップ１３の天面部１７には、その厚み方向に貫通する２つの通気孔２９が形成されており、通気孔２９を被覆するように天面部１７の内側主面１７ａに通気フィルタ２８（図３Ｄ等参照）が取り付けられている。通気フィルタ２８は、天面部１７の内側主面１７ａに設けられた環状壁２８ａによって囲われている。通気フィルタ２８は、疎水性の通気フィルタであり、気体は通過させるが液体は通過させない。ボトル本体１１内に充填された液状物が口部１２から流出するに伴い、ボトル本体１１内の圧力は低くなる。ボトル本体１１が軟質材で形成されている場合は、液状物の流出に伴いボトル本体１１が変形し、液状物の流出は継続する。しかし、硬質材で形成されたボトル本体１１の変形は困難である。本実施の形態では、液状物の流出に伴い、通気フィルタ２８を経て、空気がボトル本体１１内に引き込まれる。これにより、体内に栄養剤を供給している最中に、ボトル本体１１に針等をさしてボトル本体１１に通気用の穴を形成する等しなくても、ボトル本体１１からの液状物の流出が継続的に行える。
【００３７】
通気フィルタ２８としては、例えば、瓶針等の接続針に使用されている公知の疎水フィルタであれば、その材料等について特に制限はない。
【００３８】
図３Ｄ、図３Ｇ、図３Ｈ、図５〜図７等に示されるように、キャップ１３は、天面部１７の内側主面１７ａ上に配置された環状のシール材１７１をさらに含んでいると好ましい。シール材１７１が天面部１７の内側主面１７ａとボトル本体１１の口部１２の開口端面１２ｂ（図２参照）とに挟まれて、キャップ１３と口部１２との気密性を高めることができる。そのため、患者へ液状物を供給している最中に、液状物が、キャップ１３と口部１２との隙間から漏れ出ることが効果的に防止される。なお、図示の便宜上、図３Ｄでは、シール材１７１にハッチングを施している。
【００３９】
シール材１７１の材料は、イソプレンゴム、ブチレンゴム、熱可塑性エラストマー等が挙げられる。
【００４０】
図５に、キャップ１３の接続部２１および連通部材１９に対して、コネクタ２５とコネクタ２５に接続された可撓性チューブ２６とを含む送液回路２７が接続される直前の様子を示し、図６に、接続部２１および連通部材１９に対して送液回路２７が接続される途中、図７Ａおよび図７Ｂに、接続部２１および連通部材１９に対して送液回路２７が接続される途中であって、薄膜１６が破られた状態を示している。
【００４１】
図５〜図７Ｂに示されるように、接続部２１および連通部材１９は、図８Ａ〜図８Ｅを用いて後述するコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１参照）に接続されるという誤接続の問題が解決される。さらに、図４Ａ〜図４Ｇに示されるように、連通部材１９の穿刺部１９ｂ側とは反対側の端面において、複数の貫通孔１９ｄが形成されており、先端が鋭利な接続針が貫通孔内に挿入され難い形態となっているので、上記誤接続をより確実に防止できる。
【００４２】
図５〜図７Ｂに示されるように、コネクタ２５内に管状部２１ａを圧入した後、コネクタ２５をその軸を中心に回転させれば、後述するようにキャップ１３の爪部２１ｃがコネクタ２５の係合部に係合するので、コネクタ２５は接続部２１に固定され、コネクタ２５の抜けが確実に防止される。また、爪部２１ｃとコネクタ２５の係合部とが係合した状態では、図７Ｂに示されるように、管状部２１ａの外周面２１２がコネクタ２５の内面（大径部３３ａ）と密着するので、コネクタ２５とキャップ１３とが、液漏れを生じさせることなく接続される。
【００４３】
なお、キャップ１３とコネクタ２５との接続状態の保持は、各種の公知の構造によって行われればよく、接続保持構造であるキャップ１３のロック凸部２１１ｃを含む爪部２１ｃ（図３Ｅ等参照）と、コネクタ２５のロック凹部３２１ｇを含む係合壁３２１ｄ（図８Ａ参照）との係合以外の方法により行われてもよい。
【００４４】
キャップ１３の材料としては、例えば、ポリエチレン（ＰＥ）、ポリプロピレン（ＰＰ）、ポリアセタール（ＰＯＭ）、ポリエチレンテレフタレート（ＰＥＴ）、ポリカーボネート（ＰＣ）等が挙げられる。
【００４５】
次に、キャップに接続されるコネクタの一例について、図８Ａ〜図８Ｅを用いて説明する。
【００４６】
図８Ａは、本発明のキャップに接続されるコネクタ２５の一例の概略構成を示した斜視図であり、図８Ｂは、図８Ａに示したコネクタ２５の平面図であり、図８Ｃは、図８Ａに示したコネクタ２５の底面図であり、図８Ｄは、図８Ａに示したコネクタ２５の側面図であり、図８Ｅは、図８Ａに示したコネクタ２５の他の側面図である。
【００４７】
図８Ａ〜図８Ｅに示されるように、メス型のコネクタ２５は、挿入部３３と、送液チューブ接続部３０と、鍔部３２と、把持部３１とを含む。コネクタ２５は、容器本体部であるボトル本体１１の口部１２に装着されたキャップ１３に接続されることにより、ボトル本体１１内とコネクタ２５に接続された可撓性チューブ２６（図５〜図７Ｂ等参照）の内腔とを連通可能とする。一点鎖線１５１は挿入部３３および送液チューブ接続部３０の中心軸であり、中心軸１５１の方向を上下方向とし、図８Ａの紙面上側（キャップに接続される側）を「上側」、紙面下側を「下側」と呼ぶことにする。
【００４８】
コネクタ２５は、全体として略筒形状を有し、その上端近傍の挿入部３３は、キャップ１３の管状部２１ａの最大外径と等しいか僅かに小さな内径を有する大径部３３ａを有し、大径部３３ａより下側に、連通部材１９の板状部１９ｅの外径および大径部３３ａの内径より小さな内径を有する小径部３３ｂを有する。大径部３３ａの内径は、筒状部２１ａの最大外径と等しいか僅かに小さいので、コネクタ２５の挿入部３３にキャップ１３の管状部２１ａを押し込んでコネクタ２５とキャップ１３とが接続された状態の時に、管状部２１ａの外周面２１２が大径部３３ａの内周面に密着する（図５、図７Ｂ参照）。したがって、キャップ１３とコネクタ２５とを液状物の漏れを生ずることなく確実に接続できる。
【００４９】
そして、コネクタ２５の挿入部３３は、大径部３３ａと小径部３３ｂとを有することにより、大径部３３ａと小径部３３ｂとの間に段差面３３ｃを有する。この段差面３３ｃは、コネクタ２５がキャップ１３に接続されたときに、管状部２１ａの端面２１１ａおよび連通部材１９の端面１９ｋと接する（図７Ｂ参照）。
【００５０】
小径部３３ｂよりも下側には、略円筒状の送液チューブ接続部３０が設けられている。
【００５１】
大径部３３ａの周囲で且つこれより上側に、一対の鍔部３２が形成されている。一対の鍔部３２は中心軸１５１に対して対称である。鍔部３２は、中心軸１５１を中心軸とする円筒面にほぼ沿った円弧状壁３２１と、中心軸１５１に垂直な方向に延びて円弧状壁３２１の下端と大径部３３ａの上端とを繋ぐ渡り部３２２とを有する。
【００５２】
図８Ａおよび図８Ｂに示されるように、円弧状壁３２１は、中心軸１５１に対向する内周面の形状の相違により、通過領域３２１ａと、係合領域３２１ｂと、非通過領域３２１ｃとを含む。図８Ｂに示されるように、通過領域３２１ａの内周面は直径ＤＦ２１の円筒面の一部であり、非通過領域３２１ｃの内周面は直径ＤＦ２３（ＤＦ２３＜ＤＦ２１）の円筒面の一部である。通過領域３２１ａと非通過領域３２１ｃとの間の係合領域３２１ｂは、図８Ａに示されるように、その上端に、通過領域３２１ａの上端と非通過領域３２１ｃの上端とを繋ぐように周方向に延在する係合壁３２１ｄを備える。係合壁３２１ｄの中心軸１５１に対向する内周面は、直径ＤＦ２２（ＤＦ２２＜ＤＦ２１）の円筒面の一部である。係合領域３２１ｂは、係合壁３２１ｄを備えることによって、係合壁３２１ｄと渡り部３２２との間の領域が凹状に陥没している。すなわち、係合壁３２１ｄと渡り部３２２との間の領域は、係合壁３２１ｄよりも相対的に中心軸１５１から後退して、凹部３２１ｅを構成している。係合領域３２１ｂに対して周方向に隣接する非通過領域３２１ｃは、凹部３２１ｅに対して相対的に中心軸１５１方向に突出しており凸部３２１ｆを構成する。係合壁３２１ｄの非通過領域３２１ｃ側端の下面（凹部３２１ｅ側の面、渡り部３２２に面する面）には、凹状に窪んだロック凹部３２１ｇが形成されている。渡り部３２２のうちの係合壁３２１ｄと向かい合う部分には、渡り部３２２の厚み方向に貫通する貫通孔２２０（図８Ｃ参照）が形成されているが、貫通孔２２０は形成されていなくてもよい。
【００５３】
また、図８Ａに示されるように、挿入部３３の周囲に、挿入部３３の外周面から外方向（中心軸１５１に直交する方向）に突出した、一対の把持部３１が形成されている。キャップ１３の爪部２１ｃを鍔部３２に係合させるために行われる回転操作の際に、この一対の把持部３１を持って回転操作が行われる。
【００５４】
次に、コネクタ２５のキャップ１３への接続方法を説明する。
【００５５】
図５〜図７Ｂに示されるように、コネクタ２５の挿入部３３内に連通部材１９が挿入されるように、コネクタ２５をキャップ１３に装着しながら、ブリッジ１９ａ（図３Ｂ参照）を破断して、連通部材１９をボトル本体の口部１２内に押し込み、連通部材１９の穿刺部１９ｂで薄膜１６を破る。すなわち、コネクタ２５をキャップ１３に接続するための操作によって連通部材１９をボトル本体１１側に押し込む。
【００５６】
次いで、把持部３１を把持して、キャップ１３に対してコネクタ２５を中心軸の周りに回転させれば、コネクタ２５の回転に伴い、ロック突起２１１ｃ（図３Ｅ等参照）が、係合壁３２１ｄの渡り部３２２側の面３２１ｈに押さえつけられながら当該面３２１ｈ上を摺動し、次いでロック凹部３２１ｇ（図８Ａ参照）に嵌合する。ロック突起２１１ｃとロック凹部３２１ｇとの嵌合により、コネクタ２５がキャップ１３に接続された状態を安定的に保持できる。
【００５７】
このように、栄養剤用容器１０（図１参照）では、例えば、コネクタ２５をキャップ１３に接続しながら、キャップの連通部材１９を容器本体部側に押し込むだけで、栄養剤用容器１０内と送液回路２７内とを連通させることができるので、液状物の供給が簡単な操作で衛生的に行える。
【００５８】
また、コネクタ２５には、爪部２１ｃが収納されるロック凹部３２１ｇに隣接して凸部３２１ｆ（図８Ａ参照）が設けられているので、キャップ１３の爪部２１ｃをロック凹部３２１ｇ内に侵入させ、更に凸部３２１ｆに当接するまで移動させれば、爪部２１ｃと係合壁３２１ｄとを確実に係合させることができる。
【００５９】
また、キャップ１３の爪部２１ｃがコネクタ２５の凸部３２１ｆに当接することにより、キャップ１３に対するコネクタ２５の回転が規制されることが好ましい。これにより、キャップ１３に対してコネクタ２５を、回転が規制されるまで回転させるという簡単な操作により、爪部２１ｃと係合壁３２１ｄとを確実に係合させることができる。
【００６０】
コネクタ２５について、ＪＩＳ−Ｋ７２０２に基づいて測定される硬度は、送液チューブ接続部３０への可撓性を有する送液チューブ２６の接続作業性の向上の観点から、Ｒ４０〜Ｒ１４０であると好ましく、Ｒ５０〜Ｒ１００であるとより好ましい。
【００６１】
連通部材１９の形態については、図４Ａおよび図４Ｂに示されたものに限定されない。例えば、図４Ｃに示されるように、連通部材１９は、板状部１９ｅに３つの貫通孔１９ｄを有し、板状部１９ｅよりも薄膜側に３つの隔壁１９ｃを有し、３つの流路を有するものであってもよい。図４Ｃに示された連通部材１９においては、全ての隔壁１９ｃにブリッジ１９ａが設けられており、複数のブリッジ１９ａは周方向に等間隔に配置されているが、キャップ本体部により連通部材１９が安定的に支持されるのであれば、少なくとも１つのブリッジ１９ａが設けられていればよい。
【００６２】
図４Ｄに示されるように、連通部材１９は、板状部１９ｅに２つの貫通孔１９ｄを有し、板状部１９ｅよりも薄膜側に１つの隔壁１９ｃを有し、２つの流路を有するものであってもよい。図４Ｄに示された連通部材１９においては、隔壁１９ｃの管状部２１ａの内周面と向かい合う面にブリッジ１９ａが各々形成されている。すなわち、図４Ｄに示された連通部材１９においては、１つの隔壁１９ｃに１対のブリッジ１９ａが、連通部材１９の中心軸に対して対象に設けられているが、キャップ本体部により連通部材１９が安定的に支持されるのであれば、少なくとも１つのブリッジ１９ａが設けられていればよい。
【００６３】
図４Ｅ〜図４Ｇに示されるように、連通部材１９は、略円筒状であり、貫通孔１９ｄを２〜４つ有することにより、その内腔が２〜４つに分割され、２〜４つの流路を有するものであってもよい。図４Ｅ〜図４Ｇに示されるように、連通部材１９が略円筒状であり、連通部材１９の長手方向両端のうちの穿刺部１９ｂ側からその端面を平面視した場合の外形が例えば円形であると、連通部材１９の穿刺により薄膜１６に大きな孔を形成できる観点から好ましい。図４Ｅ〜図４Ｇに示された連通部材１９においても、その外周面に、キャップ本体部により連通部材１９が安定的に支持されるのであれば、少なくとも１つのブリッジ１９ａが設けられていればよい。
【００６４】
（実施形態２）
次に、図９〜図１１Ｄを用いて、本発明のキャップの他の一例、および当該キャップを用いた本発明の栄養剤用容器の他の一例について説明する。
【００６５】
図９は、本実施形態の栄養剤用容器の一例を示した部分斜視図であり、図１０は、図９に示した栄養剤用容器の分解斜視図である。図９および図１０に示されるように、本実施形態のキャップおよび栄養剤用容器は、キャップ１３が、連通部材１９を保護するための保護カバー４０をさらに含むこと以外は実施形態１のキャップおよび栄養剤用容器と同じ構成をしており、同一部材には同じ部材番号を付してその説明を省略する。
【００６６】
本実施形態では、保護カバー４０によって連通部材１９が保護されているので、希望しない時に連通部材１９に外力が加わることが防止される。故に、希望しない時に連通部材１９に外力が加わり、連通部材１９が容器本体部であるボトル本体１１側（キャップ本体部２２の開口部側）に押し込まれ、容器本体部側に押し込まれた連通部材１９により薄膜１６が突き破られることを防止できる。
【００６７】
保護カバー４０は、図１１Ａ〜図１１Ｄに示すように、連通部材１９を天面部１７（図１０参照の外面側から覆うカバー本体４１とキャップ１３の爪部２１ｃ（図１０参照）と係合可能な係合壁４２１ｄを係合部として含む１対の鍔部４２とを含む。保護カバー４０の鍔部４２は、上記コネクタ２５の鍔部と同一構造をしている。
【００６８】
保護カバー４０を、カバー本体４１内に連通部材１９および台座２１ｂが収まるように被せ、保護カバー４０を回転させて、キャップ１３の爪部２１ｃのロック突部２１１ｃ（図３Ｅ等参照）を、係合壁４２１ｄの非通過領域４２１ｃ側端の下面（凹部４１８側の面）に形成されたロック凹部４２１ｇに嵌合させれば、保護カバー４０がキャップ１３に装着された状態を安定的に保持できる。
【００６９】
本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。保護カバー４０をキャップ１３から取り外し、例えば、コネクタ２５を介して連通部材１９に薄膜１６側に押し込む力を付与して薄膜１６を破り、キャップ１３に送液回路２７を接続するだけで（図５〜図７Ｂ等参照）、患者への液状物の供給が可能となる。
【００７０】
（実施形態３）
実施形態３では、図１２〜図１７Ｂを用いて、本発明のキャップの他の一例、および当該キャップを用いた本発明の栄養剤用容器の他の一例について説明する。
【００７１】
図１２は、本実施形態の栄養剤用容器の一例を示した部分斜視図であり、図１３は、図１２に示した栄養剤用容器の分解斜視図である。図１４Ａは、図１２に示された栄養剤用容器を構成する本実施形態のキャップの一例を示した拡大斜視図であり、図１４Ｂは、図１４Ａに示されたキャップ４３の部分拡大図であり、図１４Ｃは、図１４Ａに示されたキャップ４３の平面図、図１４Ｄは、図１４Ａに示されたキャップ４３の底面図、図１４Ｅは、図１４Ａに示されたキャップ４３の側面図、図１４Ｆは、図１４Ａに示されたキャップ４３の他の側面図である。図１５は、図１４Ａに示したキャップ４３のブリッジおよび連通部材を説明する斜視図である。尚、図１４Ａは、説明の都合上、図１４Ｃ〜図１４Ｆよりも図を大きく記載している。図１２〜図１５に示されるように、本実施形態のキャップおよび栄養剤用容器は、連通部材３９およびブリッジ３９ａの形状が異なること以外は実施形態１のキャップおよび栄養剤用容器と同じ構成をしており、同一部材には同じ部材番号を付してその説明を省略する。
【００７２】
図１４Ｂおよび図１５に示されるように、連通部材３９は、薄膜１６（図１３参照）側とは反対側に筒状部３９ｅを含む。筒状部３９ｅは、連通部材３９を薄膜側とは反対側の端面側から平面視した場合に見える円周の一部が切り欠かれるように形成され、軸方向に沿って形成された切欠き部３９ｈを有している。筒状部３９ｅの外側面は、管状部２１ａの内径よりも僅かに小さい径の円筒面の一部である。また、連通部材３９は、その軸方向両端のうちの薄膜１６側に穿刺部３９ｂを有する。穿刺部３９ｂはその先端が、薄膜を突き破り可能な程度に尖っている。連通部材３９では、薄膜側の先端に向かって傾斜した１対の傾斜面３９ｍを有し、各傾斜面３９ｍが、連通部材３９の薄膜側の先端３９ｆに集束して、薄膜１６を突き破り可能とする穿刺部３９ｂを形成している。穿刺部３９ｂによって薄膜１６が突き破られた際には、連通部材３９の内腔３９ｊは、容器本体部１１（図１３参照）に充填された液状物を栄養剤用容器外へ（矢印Ｘの方向へ）流出させ得る流路として機能する。
【００７３】
キャップ本体部２２と、ブリッジ３９ａと、連通部材３９とは、射出成形法等により一体成形できる。図１４Ｂに示されるように、ブリッジ３９ａは、切り欠き部３９ｈを通って筒状部３９ｅの内側と外側とに跨っており、連通部材３９の内周面３９ｋと接続部２１の管状部２１ａとを連結している。ブリッジ３９ａは、連通部材３９に対して押圧により薄膜側に押し込む力を加えると、塑性変形し、押圧力を受けなくなっても元の形にもどらないものである。ブリッジ３９ａの厚さ、幅等については、連通部材３９を薄膜１６（図１３参照）側に押し込んだ際に塑性変形が可能であるように、その材料に応じて適宜決定される。
【００７４】
ブリッジ３９ａの長さは、連通部材３９の穿刺部３９ｂにより薄膜１６（図１３参照）を突き破ることができる程度に、連通部材３９を薄膜１６側へ移動させることを可能とする長さであることを要する。そのようなブリッジ３９ａの長さを確保する観点から、連通部材３９を薄膜側とは反対側の端面側から平面視した場合に見えるブリッジ３９ａの形状は、例えば、Ｓ字状であると好ましい。
【００７５】
また、図１５に示されるように、連通部材３９の形状が、その長手方向両端のうちの一方の端部が穿刺部３９ｂを含み薄膜を突き破り可能な程度に尖った円筒状等の筒状であり、切り欠き部３９ｈが、連通部材３９の長手方向全長に渡って形成されている場合、連通部材３９の穿刺により薄膜１６により大きな孔を形成可能とする観点から、切り欠き部３９の幅（切り欠き部３９の長手方向と直交する方向の長さ）は、ブリッジ３９ａの切り欠き部３９内に存在する部分の幅よりも僅かに大きい程度であると好ましい。
【００７６】
図１６に、キャップ４３の接続部２１および連通部材３９に対して、コネクタ２５（図５〜７参照）とコネクタ２５に接続された可撓性チューブ２６（図５参照）とを含む送液回路２７（図５〜図７Ａ参照）が接続される前の様子を示し、図１７Ａに、連通部材３９によって薄膜１６が破られた状態を示し、図１７Ｂに図１７Ａの部分拡大図を示している。尚、図１６〜図１７Ｂにおいて、図５〜図７Ａに示した送液回路２７は省略している。
【００７７】
本実施形態においても、接続部２１および連通部材３９は、図８Ａ〜図８Ｅを用いて説明したコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１２等参照）に接続されるという誤接続の問題が解決される。さらに、図１４Ｂ等に示されるように、連通部材３９内には、連通部材３９内の内腔（流路）３９ｊを横切るようにブリッジ３９ａが配置されており、換言すると、ブリッジ３９ａが、流路を跨ぐように、連通部材３９とキャップ本体部の筒状部２１ａとを連結している。そのため、先端が鋭利な接続針が連通部材３９内に挿入され難い形態となっており、上記誤接続をより確実に防止できる。
【００７８】
本実施形態においても、例えば、コネクタ２５を介して連通部材３９に薄膜１６（図１３参照）側へ押し込む力を付与して、ブリッジ３９ａを塑性変形し、薄膜１６を破り、キャップ４３に送液回路２７（図５参照）を接続するだけで、患者への液状物の供給が可能となる。よって、本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。
【００７９】
尚、図１７Ａおよび図１７Ｂ等において、ブリッジ３９ａは、連通部材３９に対して押圧により薄膜側に押し込む力を加えると、塑性変形し、押圧力を受けなくなっても元の形にもどらないものであるが、本実施形態において、破断するものであってもよいし、弾性変形するものであり、押圧力を受けなくなった場合に元の形にもどるものでもよい。
【００８０】
また、本実施形態のキャップ及び栄養剤用容器は、実施形態２で説明した保護カバーを備えていてもよい。
【００８１】
（実施形態４）
実施形態４では、図１８〜図２１Ｄを用いて、本発明のキャップの他の一例、および当該キャップを用いた本発明の栄養剤用容器の他の一例について説明する。
【００８２】
図１８は、本実施形態の栄養剤用容器の一例を示した部分斜視図であり、図１９は、図１８に示した栄養剤用容器の分解斜視図である。図２０Ａは、図１８に示された栄養剤用容器を構成する本実施形態のキャップの一例を示した拡大斜視図であり、図２０Ｂは、図２０Ａに示されたキャップ５３の部分拡大図であり、図２０Ｃは、図２０Ａに示されたキャップ５３の平面図、図２０Ｄは、図２０Ａに示されたキャップ５３の底面図、図２０Ｅは、図２０Ａに示されたキャップ５３のＢ−Ｂ’部分拡大断面図、図２０Ｆは、図２０Ａに示されたキャップ５３のＣ−Ｃ’部分拡大断面図である。尚、図２０Ａは、説明の都合上、図２０Ｃ〜図２０Ｄよりも図を大きく記載している。図１８〜図２１Ｄに示されるように、本実施形態のキャップおよび栄養剤用容器は、連通部材４９およびブリッジ４９ａの形状が異なること以外は実施形態１のキャップおよび栄養剤用容器と同じ構成をしており、同一部材には同じ部材番号を付してその説明を省略する。
【００８３】
図２０Ａおよび図２０Ｂに示されるように、連通部材４９は、薄膜１６（図１９等参照）側の反対側に配置された筒状部４９ｅを含む。筒状部４９ｅは、互いに向かい合うように配置され筒状部４９ｅの中心軸に対して相互に対称に配置された１対の平板状部４９１ｅと、これらを連結する１対の湾曲板状部４９２ｅとを含む。各湾曲板状部４９２ｅの外側面は、管状部２１ａの内径よりも僅かに小さい径の円筒面の一部であるが、平板状部４９１ｅの外側面は、当該円筒面よりも相対的に管状部２１ａから離れる方向に後退しており、凹部４９３ｅを構成している。
【００８４】
図２０Ｅ及び図２０Ｆに示されるように、連通部材４９は、筒状部４９ｅよりも薄膜側に、穿刺部４９ｂを含み、管状部２１ａ内の空間を複数に分割する隔壁４９ｃを含んでいる。隔壁４９ｃの薄膜側端部の幅が先端に向かって徐々に狭くなることにより、薄膜１６を突き破り可能な程度に尖った穿刺部４９ｂを形成している。隔壁４９ｃは、湾曲板状部４９２ｅの下端に連結され、筒状部４９ｅに一体化されているので、筒状部４９ｅが薄膜１６側に押し込まれると、隔壁４９ｃも薄膜１６側に押し込まれる。隔壁４９ｃの主面は、１対の平板状部４９１ｅの主面と平行である。隔壁４９ｃの大部分は、平板状部４９１ｅの各下端と管状部２１ａとを連結する１対のブリッジ４９ａよりも下方（薄膜に近い側）に配置されているが、連通部材４９を薄膜側とは反対側の端面側から平面視した場合、隔壁４９ｃは、１対のブリッジ４９ａの間に配置されているように見える（図２０Ｃ参照）。
【００８５】
図２１Ａに、キャップ５３の接続部および連通部材４９に対して、コネクタ２５とコネクタ２５に接続された可撓性チューブ２６とを含む送液回路２７（図５〜図７Ａ参照）が接続される前の様子を示し、図２１Ｂ〜図２１Ｄに、連通部材４９が薄膜１６側に押し込まれる途中の様子を示している。尚、図２１Ａ〜図２１Ｄにおいて、図５〜図７Ａに示した送液回路２７は省略している。
【００８６】
管状部２１ａ（キャップ本体部）とブリッジ４９ａとの連結部位５１の厚みＴ１は、ブリッジ４９ａのうちの当該連結部位５１の近傍部分の厚みよりも薄い。ブリッジ４９ａと筒状部４９ｅ（連通部材）との連結部位５２の厚みＴ２は、ブリッジ４９ａのうちの当該連結部位５２の近傍部分の厚みよりも薄い。また、ブリッジ４９ａは、例えばその中央部に厚みがＴ３の肉薄部５４を含んでいる。そのため、コネクタ２５を介して連通部材４９に対して押圧により薄膜１６側に押し込む力を加えると、図２１Ｂ〜図２１Ｄに示されるように、連結部位５１から連結部位５２までのブリッジ４９を含む部分Ｚ（図２１Ａ〜図２１Ｄにおいてドットが付された部分）のうちの、連結部位５１、連結部位５２および肉薄部５４を含む３つの肉薄部が各々折れ曲がり変形し、連通部材４９は容器本体部であるボトル本体１１（図１８参照）側に押し込まれ、連通部材４９の穿刺部４９ｂにより薄膜１６が突き破られる。連結部位５１の厚みＴ１、連結部位５２の厚みＴ２、および肉薄部５４の厚みＴ３およびブリッジ４９ａの各部位のa厚み等については、その材料に応じて適宜決定される。
【００８７】
図２１Ｄに示された連通部材４９がさらに薄膜１６側に押し込まれ、爪部２１ｃ（図２０Ｅ等参照）とコネクタ２５の係合壁３２１ｄ（係合部、図８Ａ等参照）とが係合した状態では、連通部材４９の薄膜１６側の反対側の端面４９ｆは、管状部２１ａの開口端面２１１ａとほぼ面一になる。筒状部４９ｅが薄膜１６側に押し込まれ、管状部２１ａ内に挿入された状態では、平板状部４９１ｅの外側面と、これに向う合う管状部２１ａの内面との間には隙間が形成されるが、当該隙間、即ち凹部４９３ｅ（図２０Ｂ参照）と管状部２１ａの内周面とによって囲われる空間内に、折れ曲がったブリッジ４９ａが収納される。
【００８８】
本実施形態においても、接続部２１および連通部材４９は、図８Ａ〜図８Ｅを用いて説明したコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１８参照）に接続されるという誤接続の問題が解決される。
【００８９】
また、本実施形態においても、例えば、コネクタ２５を介して連通部材４９に薄膜１６側に押し込む力を付与して、連結部位５１から連結部位５２までのブリッジ４９ａを含む部分Ｚを折り曲げ変形し、必要に応じて塑性変形し、薄膜１６を破り、キャップ５３に送液回路２７（図５参照）を接続するだけで、患者への液状物の供給が可能となる。よって、本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。
【００９０】
尚、図２１Ａ等を用いて説明した本実施形態の一例では、ブリッジ４９ａの肉薄部５４は１つであり、連結部位５１、５２、および肉薄部５４が折れ曲がることで連通部材４９の薄膜１６側への押し込みが許容されているが、ブリッジは１個以上または複数の肉薄部を含んでいてよい。連通部材４９に対して押圧により薄膜側に押し込む力を加えた際に、折れ曲がり変形することにより、連通部材４９の薄膜側への移動および連通部材４９による薄膜の突き破りが許容されれば、連結部位５１、５２の形状および肉薄部の数等について特に制限はないが、部分Ｚにおける肉薄部の数は、肉薄部の数が少ないことによりブリッジが破断したり、肉薄部の数が多すぎることにより折れ曲がり方が複雑になることを抑制する観点から、３つであると好ましい。
【００９１】
また、本実施形態において、ブリッジ４９ａは、連通部材４９に対して押圧により薄膜側に押し込む力を加えると折れ曲がり変形するものであり、キャップ本体部と連通部材とが繋がったまま薄膜を破ることができるので、連通部材が容器本体部内に落下しで液状物に連通部材が浮遊することが確実に防止でき好ましいが、本実施形態において、破断するものであってもよい。
【００９２】
また、本実施形態のキャップおよび栄養剤用容器は、実施形態２で説明した保護カバーを備えていてもよい。
【００９３】
尚、図５に示された送液回路２７は、図示の便宜上、コネクタ２５と可撓性チューブ２６の一部のみを図示しているが、実施形態１〜４のキャップおよび栄養剤用容器に接続され、または、栄養剤用容器とともに栄養剤供給セットを構成する送液回路は、可撓性チューブ２６を押圧して可撓性チューブ２６を流れる液状物の流量を調節するための流量調整器、点滴筒、患者に固定された経鼻チューブ等に接続されうるコネクタ、当該コネクタのカバー等、従来公知の経腸栄養療法に使用される送液回路が備える構成部品をさらに含んでいてもよい。
【産業上の利用可能性】
【００９４】
本発明では、経腸栄養療法に好適な、栄養剤用容器のキャップ、およびそれを用いた栄養剤用容器、並びに、当該栄養剤用容器を含む栄養剤供給セットを提供できる。
【符号の説明】
【００９５】
１０                    栄養剤用容器
１１                    容器本体部
１２                    口部
１２ａ                  オネジ
１３、４３、５３        キャップ
１６                    薄膜
１７                    天面部
１８                    側壁部
１９、３９、４９        連通部材
１９ａ、３９ａ、４９ａ  ブリッジ
１９ｂ、３９ｂ、４９ｂ  穿刺部
１９ｃ、４９ｃ          隔壁
１９ｅ                  板状部
２０                    基部
２１                    接続部
２２                    キャップ本体部
２３                    メネジ
２１ａ                  管状部
２１ｂ                  台座部
２１ｃ                  爪部
２５                    コネクタ
２６                    可撓性チューブ
２７                    送液回路
２８                    通気フィルタ
２９                    通気孔
１７１                  シール材
４０                    保護カバー
５１                    キャップ本体部とブリッジとの連結部位
５２                    ブリッジと連通部材との連結部位
５４                    ブリッジの肉薄部
Ｚ  キャップ本体部とブリッジとの連結部位からブリッジと連通部材との連結部位までのブリッジを含む部分
【図１】
0005915176.tif 000002
【図２】
0005915176.tif 000003
【図３Ａ】
0005915176.tif 000004
【図３Ｂ】
0005915176.tif 000005
【図３Ｃ】
0005915176.tif 000006
【図３Ｄ】
0005915176.tif 000007
【図３Ｅ】
0005915176.tif 000008
【図３Ｆ】
0005915176.tif 000009
【図３Ｇ】
0005915176.tif 000010
【図３Ｈ】
0005915176.tif 000011
【図４Ａ】
0005915176.tif 000012
【図４Ｂ】
0005915176.tif 000013
【図４Ｃ】
0005915176.tif 000014
【図４Ｄ】
0005915176.tif 000015
【図４Ｅ】
0005915176.tif 000016
【図４Ｆ】
0005915176.tif 000017
【図４Ｇ】
0005915176.tif 000018
【図５】
0005915176.tif 000019
【図６】
0005915176.tif 000020
【図７Ａ】
0005915176.tif 000021
【図７Ｂ】
0005915176.tif 000022
【図８Ａ】
0005915176.tif 000023
【図８Ｂ】
0005915176.tif 000024
【図８Ｃ】
0005915176.tif 000025
【図８Ｄ】
0005915176.tif 000026
【図８Ｅ】
0005915176.tif 000027
【図９】
0005915176.tif 000028
【図１０】
0005915176.tif 000029
【図１１Ａ】
0005915176.tif 000030
【図１１Ｂ】
0005915176.tif 000031
【図１１Ｃ】
0005915176.tif 000032
【図１１Ｄ】
0005915176.tif 000033
【図１２】
0005915176.tif 000034
【図１３】
0005915176.tif 000035
【図１４Ａ】
0005915176.tif 000036
【図１４Ｂ】
0005915176.tif 000037
【図１４Ｃ】
0005915176.tif 000038
【図１４Ｄ】
0005915176.tif 000039
【図１４Ｅ】
0005915176.tif 000040
【図１４Ｆ】
0005915176.tif 000041
【図１５】
0005915176.tif 000042
【図１６】
0005915176.tif 000043
【図１７Ａ】
0005915176.tif 000044
【図１７Ｂ】
0005915176.tif 000045
【図１８】
0005915176.tif 000046
【図１９】
0005915176.tif 000047
【図２０Ａ】
0005915176.tif 000048
【図２０Ｂ】
0005915176.tif 000049
【図２０Ｃ】
0005915176.tif 000050
【図２０Ｄ】
0005915176.tif 000051
【図２０Ｅ】
0005915176.tif 000052
【図２０Ｆ】
0005915176.tif 000053
【図２１Ａ】
0005915176.tif 000054
【図２１Ｂ】
0005915176.tif 000055
【図２１Ｃ】
0005915176.tif 000056
【図２１Ｄ】
0005915176.tif 000057
【図２２】
0005915176.tif 000058
【図２３】
0005915176.tif 000059